(57)【要約】【課題】炉幅方向に対する燃焼の挙動を正確に表現することにより、炉内の燃焼状態を把握しながら大型の焼却炉における運転操作の訓練を実施できるごみ焼却炉の運転訓練装置を提供する。【解決手段】燃焼モデル演算手段と、各操作端の操作量の入力及び前記燃焼モデル演算手段による燃焼挙動の模擬結果に基づく運転結果の出力が可能な操作手段とを備え、前記燃焼モデル演算手段は、ごみ焼却炉内をごみ搬送方向、炉内排ガス流れ方向及び炉幅方向にそれぞれ複数に区分したブロック毎に、各操作端の操作量及び当該ブロックに隣接する他のブロックの内少なくとも炉幅方向で隣接するブロックからの熱収支及び物質収支を考慮した熱収支計算及び物質収支計算に基づいてごみの燃焼挙動及び炉内排ガス中のガス成分の挙動を算出し、前記算出されたごみの燃焼挙動及び炉内排ガス中のガス成分の挙動に基づいて燃焼挙動の模擬を行う。【選択図】            図１
2004264644.tif 000002
【特許請求の範囲】
【請求項１】
ごみ焼却炉の燃焼挙動を模擬する燃焼モデル演算手段と、
各操作端の操作量の入力及び前記燃焼モデル演算手段による燃焼挙動の模擬結果に基づく運転結果の出力が可能な操作手段とを備え、
前記燃焼モデル演算手段は、ごみ焼却炉内をごみ搬送方向、炉内排ガス流れ方向及び炉幅方向にそれぞれ複数に区分したブロック毎に、各操作端の操作量及び当該ブロックに隣接する他のブロックの内少なくとも炉幅方向で隣接するブロックからの熱収支及び物質収支を考慮した熱収支計算及び物質収支計算に基づいてごみの燃焼挙動及び炉内排ガス中のガス成分の挙動を算出し、前記算出されたごみの燃焼挙動及び炉内排ガス中のガス成分の挙動に基づいてごみ焼却炉の燃焼挙動の模擬を行うことを特徴とするごみ焼却炉の運転訓練装置。
【請求項２】
運転訓練の対象となるごみ焼却炉が、火格子を備え、該火格子の駆動が炉幅方向に分割されている場合において、
操作端として、前記炉幅方向に分割された駆動領域毎にごみの搬送速度の操作が可能なことを特徴とする請求項１に記載のごみ焼却炉の運転訓練装置。
【請求項３】
運転訓練の対象となるごみ焼却炉が、炉内への燃焼用空気の吹き込みが炉幅方向に分割されている場合において、
操作端として、前記分割された領域毎に吹き込まれる燃焼用空気量の操作が可能なことを特徴とする請求項１又は請求項２に記載のごみ焼却炉の運転訓練装置。
【請求項４】
運転訓練の対象となるごみ焼却炉が、炉内への水噴霧流の吹き込みが炉幅方向に分割されている場合において、
操作端として、前記分割された領域毎に吹き込まれる水噴霧流量の操作が可能なことを特徴とする請求項１乃至請求項３のいずれかに記載のごみ焼却炉の運転訓練装置。
【請求項５】
燃焼モデル演算手段への各操作端の操作量の入力が、各操作端毎に、手動操作或いは自動燃焼制御装置による自動操作の選択が可能なことを特徴とする請求項１乃至請求項４のいずれかに記載のごみ焼却炉の運転訓練装置。
【発明の詳細な説明】
【０００１】
【発明の属する技術分野】
本発明は、ごみ焼却炉の運転訓練装置に関する。
【０００２】
【従来の技術】
都市ごみ焼却炉は、社会生活において排出される様々な廃棄物を処理するという重要な役割を担っている。近年では、廃棄物であるごみの焼却処理によって発生する熱エネルギの回収への関心が高まり、ボイラ発電設備のついたものが増加し、ボイラでの熱回収が効率的に行えるように、安定な燃焼が要求されている。一方、大気中に放出される環境汚染物質の規制が厳しくなるにしたがって、ＮＯｘ、ＣＯ、ダイオキシン類等の有害物質の排出濃度を低減する燃焼運転が必要とされている。
【０００３】
このように、ごみ焼却炉に高度な燃焼運転が望まれているため、通常、自動燃焼制御装置によって上記要求を満たすような運転が行われており、運転員が直接焼却炉の運転操作を行う機会が少なくなっている。このような状況から、異常燃焼状態時の対処能力の向上、初心者の早期養成が重要な課題となっており、ごみ焼却炉の運転訓練装置が種々提案されている。例えば、特開平１０−２２７４３０号公報（特許文献１）において本発明者らは、ごみの燃焼と排ガスの挙動を同時に模擬できるモデルを用いて、現実の運転操作に近い形で運転訓練が実施できるごみ焼却炉の運転訓練装置について提案した。
【０００４】
その一方で、焼却炉自体は処理量が多い大型炉ほど燃焼状態が安定し、ダイオキシン類などの有害物質の排出濃度も低くなる傾向が見られるため、焼却処理能力が２００ｔｏｎ／ｄａｙ以上の大型炉の需要が大都市を中心に増加している。
【０００５】
しかし、焼却炉の大型化に伴い炉床が大きくなるにつれ、火格子上のごみに偏在が発生しやすくなり、火格子上でのごみの燃焼が不均一になり易いという問題がある。ごみの偏在が大きい場合には、火格子上において局所的に未燃分を発生させ、炉内の燃焼が不安定となり、ボイラでの蒸気発生量を一定に維持することが困難となる。
【０００６】
このような問題に対し、特開平８−３５６３０号公報（特許文献２）には、火格子上の燃料の三次元分布や火格子上の燃料の温度分布に基づいて、炉幅方向の左右に分割された火格子の掻き混ぜ速度、火格子下から導入する一次空気量を調節して燃焼を安定化させる方法が提案されている。また、本発明者らは、特開２０００−１５４９１２号公報（特許文献３）において、火格子の駆動機構、または燃焼空気の吹き込み口を炉幅方向に分割したごみ焼却炉において、炉幅方向の燃焼の偏在抑制を目的としたごみ焼却炉の燃焼制御方法を提案した。
【０００７】
【特許文献１】
特開平１０−２２７４３０号公報
【０００８】
【特許文献２】
特開平８−３５６３０号公報
【０００９】
【特許文献３】
特開２０００−１５４９１２号公報
【００１０】
【発明が解決しようとする課題】
しかし、前記特許文献１に記載された運転訓練装置を始めとする従来の運転訓練装置では、ごみの搬送方向に対する燃焼挙動は表現されているものの、炉幅方向に対する燃焼の挙動は表現されていない。前述したように、焼却炉自体の大型化が進んでいる現状においては、ごみの搬送方向に対する燃焼挙動のみならず、炉幅方向に対する燃焼の挙動を正確に表現でき、運転員が火格子上におけるごみの燃焼状態と排ガス温度分布との相関を把握できるような運転訓練装置が求められている。
【００１１】
本発明はこれらの課題を解決するためになされたもので、ごみの搬送方向及び炉内排ガスの流れ方向に対する燃焼挙動のみならず、炉幅方向に対する燃焼の挙動を正確に表現することにより、炉内の燃焼状態を把握しながら大型の焼却炉における運転操作の訓練を実施できるごみ焼却炉の運転訓練装置を提供することを目的とする。
【００１２】
【課題を解決するための手段】
上記の課題は次の発明により解決される。
［１］ごみ焼却炉の燃焼挙動を模擬する燃焼モデル演算手段と、各操作端の操作量の入力及び前記燃焼モデル演算手段による燃焼挙動の模擬結果に基づく運転結果の出力が可能な操作手段とを備え、前記燃焼モデル演算手段は、ごみ焼却炉内をごみ搬送方向、炉内排ガス流れ方向及び炉幅方向にそれぞれ複数に区分したブロック毎に、各操作端の操作量及び当該ブロックに隣接する他のブロックの内少なくとも炉幅方向で隣接するブロックからの熱収支及び物質収支を考慮した熱収支計算及び物質収支計算に基づいてごみの燃焼挙動及び炉内排ガス中のガス成分の挙動を算出し、前記算出されたごみの燃焼挙動及び炉内排ガス中のガス成分の挙動に基づいてごみ焼却炉の燃焼挙動の模擬を行うことを特徴とするごみ焼却炉の運転訓練装置。
［２］上記［１］において、運転訓練の対象となるごみ焼却炉が、火格子を備え、該火格子の駆動が炉幅方向に分割されている場合において、操作端として、前記炉幅方向に分割された駆動領域毎にごみの搬送速度の操作が可能なことを特徴とするごみ焼却炉の運転訓練装置。
［３］上記［１］又は［２］において、運転訓練の対象となるごみ焼却炉が、炉内への燃焼用空気の吹き込みが炉幅方向に分割されている場合において、操作端として、前記分割された領域毎に吹き込まれる燃焼用空気量の操作が可能なことを特徴とするごみ焼却炉の運転訓練装置。
［４］上記［１］乃至［３］のいずれかにおいて、運転訓練の対象となるごみ焼却炉が、炉内への水噴霧流の吹き込みが炉幅方向に分割されている場合において、操作端として、前記分割された領域毎に吹き込まれる水噴霧流量の操作が可能なことを特徴とするごみ焼却炉の運転訓練装置。
［５］上記［１］乃至［４］のいずれかにおいて、燃焼モデル演算手段への各操作端の操作量の入力が、各操作端毎に、手動操作或いは自動燃焼制御装置による自動操作の選択が可能なことを特徴とするごみ焼却炉の運転訓練装置。
【００１３】
【発明の実施の形態】
以下、本発明の実施形態の一例を説明する。
【００１４】
本発明に係るごみ焼却炉の運転訓練装置は、ごみ焼却炉の燃焼挙動を模擬する燃焼モデル演算手段と、各操作端の操作量の入力及び前記燃焼モデル演算手段による燃焼挙動の模擬結果に基づく運転結果の出力が可能な操作手段とを備え、前記燃焼モデル演算手段は、ごみ焼却炉内をごみ搬送方向、炉内排ガス流れ方向及び炉幅方向にそれぞれ複数に区分したブロック毎に、各操作端の操作量及び当該ブロックに隣接する他のブロックの内少なくとも炉幅方向で隣接するブロックからの熱収支及び物質収支を考慮した熱収支計算及び物質収支計算に基づいてごみの燃焼挙動及び炉内排ガス中のガス成分の挙動を算出し、前記算出されたごみの燃焼挙動及び炉内排ガス中のガス成分の挙動に基づいてごみ焼却炉の燃焼挙動の模擬を行うものである。
【００１５】
前記燃焼モデル演算手段が、設定された運転条件、運転員による操作量の変更、あるいは自動燃焼制御装置による操作量の変更に応じて、予め設定されているモデルにより演算を行う。この演算の特徴は、実炉と同じように炉内のごみと排ガスの燃焼挙動を双方とも演算することである。これにより、ごみ焼却炉の燃焼挙動を、ごみの燃焼状態と炉内排ガスの発生挙動の密接な関係を取り込んで模擬することが可能となる。その結果、従来技術のようにごみ焼却炉の燃焼挙動をごみの燃焼状況と排ガスの挙動を個々別々に演算する場合に比べて、ごみ焼却炉の総合的な運転訓練を行うことができる。
【００１６】
さらに、本発明に係る運転訓練装置では、火格子上ごみ搬送ブロックでごみは直上（上流側）ブロックのごみ以外に炉幅方向に隣接するブロックよりごみが流入することを考慮している。また、煙道における炉内排ガスブロックに関しては、直上（上流側）炉内排ガスブロックと炉幅方向に隣接する炉内排ガスブロックの炉内排ガスが混合しながら流入することを考慮している。混合の要因としては、上流域の炉内排ガス量分布（流量和、流量差）、および炉壁より吹き込まれる冷却用空気流量とが考えられる。このような燃焼モデルに炉内へ投入するごみ発熱量分布を入力として与えれば、炉幅方向の燃焼不均一を考慮した燃焼分布を表現することができる。
【００１７】
また、火格子の駆動が炉幅方向に分割されているごみ焼却炉、炉内への燃焼用空気の吹き込みが炉幅方向に分割されているごみ焼却炉、或いは、炉内への水噴霧流の吹き込みが炉幅方向に分割されているごみ焼却炉の場合には、ごみ発熱量に起因する炉幅方向の温度ばらつきを、炉幅方向に分割されている火格子の駆動速度、燃焼用空気の吹き込み量、または、水噴霧流の吹き込み量を運転員が手動で操作することで、幅方向の温度ばらつき回復方法を習得することができる。さらに、実炉同様の自動燃焼制御装置による演算値を選択することで炉幅方向の温度ばらつき回復方法の模範例を習得することができる。
【００１８】
ここでは、火格子の駆動速度、燃焼用空気の吹き込み量、または、水噴霧流の吹き込み量等の各操作端に対する操作量の入力は、各操作端毎に、手動操作或いは自動燃焼制御装置による自動操作の選択が可能である。つまり、各操作端の操作量の入力については、一部の操作量は自動燃焼制御装置で制御させつつ、その他の操作端については手動運転状態による操作を行うこともできる。
【００１９】
なお、本発明においては、ごみ焼却炉が炉幅方向に対し、前記火格子の駆動速度、燃焼用空気の吹き込み量、水噴霧流の吹き込み量が調節できないようなごみ焼却炉の場合であっても、従来不可能であった炉幅方向の熱収支及び物質収支を考慮した燃焼挙動の模擬を行うことが可能となる。
【００２０】
図１は、本発明に係るごみ焼却炉の運転訓練装置の一実施形態を示すブロック図である。図１に示すように、本発明に係るごみ焼却炉の運転訓練装置は、燃焼モデル演算手段９と操作手段１０とを備えている。さらに、前記操作手段１０は、操作盤１と、運転条件の設定手段２と、運転操作切り換え手段３と、手動運転操作手段４と、運転結果表示手段５と、運転結果評価手段６と、訓練速度設定手段７とを備えている。また、図中、８は自動燃焼制御装置を示す。
【００２１】
運転員は、操作手段１０の操作盤１を通して訓練を行う。運転訓練を開始する前に運転条件の設定手段２から運転条件を設定する。運転訓練中は、自動と手動運転操作切り換え手段３によって、自動燃焼制御装置８を外して手動運転状態とし、手動運転操作手段４によって運転員が手動運転操作を行う。運転員は、運転結果表示手段５によって、現在と過去の運転状況を確認しながら訓練を進める。
【００２２】
運転訓練終了時に、運転結果評価手段６によってあらかじめ設定した運転条件に対する操作の評価結果を運転員に与える。なお、燃焼モデル演算手段９による演算結果や自動燃焼制御装置８の出力等のデータを一定時間ごとに保存しておくことにより、訓練終了後に希望の時点から再度訓練を開始できる機能、いわゆるバックトラック機能を持たせることもできる。
【００２３】
運転訓練中の訓練速度は、訓練速度設定手段７によって与えられる。この訓練速度の信号によって、自動燃焼制御装置８と燃焼モデル演算手段９は、設定された速度で演算される。
【００２４】
また、運転訓練中に、操作盤上で自動から手動操作に切り換えられた操作量は自動燃焼制御装置８から外され、運転員による手動操作の信号が燃焼モデルに送られる。
【００２５】
燃焼モデル演算手段９では、運転訓練開始前に設定された運転条件、運転員の操作変更、自動燃焼制御装置による操作変更に応じて、実炉と同じように炉内のごみと排ガスの燃焼挙動を演算し、演算結果を運転結果表示手段５に表示する。
【００２６】
次に、本発明に係る運転訓練装置における燃焼モデルの一例について説明する。
【００２７】
図２は、物質収支と熱収支に基づいて構成された燃焼モデルの構成を示すブロック図である。ここでは、ごみ焼却炉の操作量である給塵速度、燃焼火格子速度、燃焼空気量、燃焼空気温度、火格子下燃焼空気量の配分および冷却空気量を操作量としている。炉内のごみと排ガスの熱収支と物質収支に基づいて、炉内の燃焼挙動を表現する燃焼モデルは、以下に示す基本的な仮定のもとに構築する。
・各燃焼空気の風箱の位置ごとに、火格子上のごみをブロックに分割する。さらに、それらを炉幅方向にそれぞれブロック分割、例えば、ごみ搬送方向に対してそれぞれ左右２ブロックに分割する。
・煙道は、燃焼室、副煙道、主煙道、ガス混合室、およびボイラに分割する。さらに、それらを炉幅方向にそれぞれブロック分割、例えば、ごみ搬送方向に対してそれぞれ左右２ブロックに分割する。
・それぞれのブロックでのモデルは、熱・物質収支を基にした完全混合モデルとする。
・ごみは水分、可燃分、灰分から構成されるとし、可燃分の組成はＣとＨとＯとする。
【００２８】
次に、ごみ層内での反応および煙道での反応は、次の式で表される。この式は、分割されたブロックの火格子上のごみや煙道について、物質収支と熱収支を基に構成されている。まず、燃焼反応については、次の式で表される。
【００２９】
Ｃ＋１／２Ｏ２  ＝ＣＯ＋Ｑ１                        （１）
Ｃ＋Ｏ２  ＝ＣＯ２  ＋Ｑ２                            （２）
ＣＯ＋１／２Ｏ２  ＝ＣＯ２  ＋Ｑ３                    （３）
ＣＨ４  ＋２Ｏ２  ＝ＣＯ２  ＋２Ｈ２Ｏ＋Ｑ４                （４）
Ｈ２Ｏ（Ｌ）＝Ｈ２Ｏ（Ｇ）＋Ｑ５                    （５）
ただし、Ｑ１，Ｑ２，Ｑ３，Ｑ４は反応熱（Ｊ／ｍｏｌ）、Ｑ５は蒸発熱（Ｊ／ｍｏｌ）である。
【００３０】
次に、物質収支と熱収支の式について考える。ごみの物質収支及び熱収支は次式（６）、（７）で表される。なお、炉幅方向に関しては、ごみ搬送方向に対してそれぞれ左右２ブロック（ｌ：左側、ｒ：右側、を表す）に分割した場合について記述する。
【００３１】
【数１】
2004264644.tif 000003
【００３２】
右辺第一項：上流側前段同じサイドより当該火格子エリアに入ってくるごみ質量
右辺第二項：上流側前段逆サイドより当該火格子エリアに入ってくるごみ質量
右辺第三項：当該火格子エリアから出ていくごみ質量
右辺第四項：当該火格子エリアにおける化学反応量
【００３３】
【数２】
2004264644.tif 000004
【００３４】
右辺第一項：上流側前段同じサイドからやって来るごみの熱量
右辺第二項：上流側前段逆サイドからやって来るごみの熱量
右辺第三項：下流側後段へ出ていくごみの熱量
右辺第四項：燃焼空気からごみへの熱伝達
右辺第五項：燃焼ガスからごみへの熱伝達
右辺第六項：ごみ層表面火炎からごみへの熱伝達
右辺第七項：当該火格子エリアにおける化学反応熱
煙道部分の炉内排ガスの物質収支と熱収支の式については、次式  （８）、（９）に示すようになる。
【００３５】
【数３】
2004264644.tif 000005
【００３６】
右辺第一項：上流側前段同じサイドより流入する、排ガス所定成分の占有体積
右辺第二項：上流側前段逆サイドより流入する、排ガス所定成分の占有体積
右辺第三項：当該ブロックから流出する、排ガス所定成分の占有体積
右辺第四項：煙道エリア内の化学反応による、所定成分の占有体積変化
【００３７】
【数４】
2004264644.tif 000006
【００３８】
右辺第一項：上流側前段同じサイドより流入する排ガスの熱量
右辺第二項：上流側前段逆サイドより流入する排ガスの熱量
右辺第三項：当該ブロックから流出する排ガスの熱量
右辺第四項：当該ブロック内の反応熱量
右辺第五項：燃焼ガスからごみへの熱伝達
ここで添字ｉ，ｍはブロック番号、添字ｊはｊ成分、Σｊ  ，Σｍは添字ｊ，ｍについての総和を表す。ａはエリアの識別子（ｌ：左側、ｒ：右側）を表す。また、個々の変数の内容は次の通りである。
Ｗａｉ ｊ：ｊ成分の量（ｍｏｌ）
Ｕａｉ：ごみの移動速度（給塵装置、火格子速度）（ｌ／ｈ）
Ｒａｉ ｊ：ｊ成分の反応量、蒸発量（ｍｏｌ／ｈ）
Ｔａｉ：ごみの温度（℃）
Ｃｊ：ごみ中のｊ成分の比熱（Ｊ／ｍｏｌ℃）
Ｑｒｉ：燃焼空気からごみへの熱伝達（Ｊ／ｈ）
Ｑｇｉ：燃焼ガスからごみへの熱伝達（Ｊ／ｈ）
Ｑｆｉ：ごみ層表面火炎からごみへの熱伝達（Ｊ／ｈ）
Ｑｉ：ｊ成分の反応・蒸発熱（Ｊ／ｍｏｌ）
Ｘａｉ ｊ：ガス中のｊ成分の割合（％、ｐｐｍ）
Ｆａｉ：ガス、空気、水噴霧流量  （Ｎｍ３／ｈ）
Ｖａｉ：煙道容積  （ｍ３）
Ｔｇａｉ：ガスの温度（℃）
δｉ ｊ：ｊ成分の反応速度（ｌ／ｈ）
Ｃｇｊ：ガス中のｊ成分の比熱（Ｊ／ｋｇ℃）
ρｇｊ：ガス中のｊ成分の密度（ｋｇ／Ｎｍ３）
αｌ：前段左側ごみブロックより左側ごみブロックへ搬送される質量割合パラメータ
（１−αｌ）：前段左側ごみブロックより右側ごみブロックへ搬送される質量割合パラメータ
αｒ：前段右側ごみブロックより右側ごみブロックへ搬送される質量割合パラメータ
（１−αｒ）：前段右側ごみブロックより左側ごみブロックへ搬送される質量割合パラメータ
βａｍ：前段ｍブロック（左／右）よりやってくる排ガス量の左右配分パラメータ
この燃焼モデルでは、設定された運転条件、運転員による操作量の変更、自動燃焼制御装置による操作量の変更に応じて、実炉と同じように炉内のごみと排ガスの燃焼挙動を模擬する。なお、物質収支と熱収支の式は、微分方程式となっているが通常の数値解法で容易に計算できる。
【００３９】
図１の燃焼モデル演算装置９では、燃焼モデルによって設定された運転条件、運転員による操作量の変更、自動燃焼制御装置による操作量の変更に応じて、実炉と同じように炉内のごみと排ガスの燃焼挙動を模擬し、その演算結果を運転結果表示手段５に表示する。
【００４０】
自動燃焼制御装置８における操作量の演算方法は、通常のＰＩＤ演算でもよいが、ここでは一例としてファジィ制御を用いた場合について説明する。各操作端の自動運転時の操作量は、周期毎に、次式（１０）に示すように、燃焼の長期安定化を保つための基準値と、短周期の外乱変動に対する補正量の積により算出されている。
ｕｉ＝（１＋Σｊ  ｆｃｉ  ｊ）×ｆｒｉ      （１０）
ここで、  ｕｉ：操作端ｉの操作量、ｆｒｉ：操作端ｉの基準値、ｆｃｉ ｊ：操作端ｉにおけるルール群ｊの補正量をそれぞれ表す。
【００４１】
基準値ｕｉ，ｆｒｉ  は各操作端毎に、ごみの低位発熱量、ごみ供給量、蒸発量などから決定される。補正量ｆｃｉ ｊ  は各操作端毎に関連の深い状態量を入力としたいくつかのファジィルール群から得られる補正量の和により算出される。例として、左右火格子速度のファジィルール群（自動燃焼制御装置の左右火格子速度の操作量決定に用いられるファジィルール群一覧）を表１に示す。左右火格子速度の補正量は蒸発量、燃焼室温度差それぞれのファジィルール群の補正量の総和により決定される。ここで、蒸発量によるゲインは左右共通、燃焼室温度差によるゲインは左右別々である。
【００４２】
【表１】
2004264644.tif 000007
【００４３】
次に、ルール群においての補正量はシングルトン法を用いて算出している。一例として前述した左右火格子速度の燃焼室温度差ルールを用いて説明する。
【００４４】
燃焼室温度差の各ルール（負、ゼロ、正）に対応するメンバーシップ関数は図３に示す形で与えられる。次に各前件部における適合度は図３に示す現在の燃焼室温度差が負、ゼロ、正のメンバーシップ関数が交叉する点である。これらの値が  μ１、μ２、μ３  と与えられる。Ｒｕｌｅ１−３における後件部出力値が左側Ｇ１ｌ、Ｇ２ｌ、Ｇ３ｌ、右側  Ｇ１ｒ、Ｇ２ｒ、Ｇ３ｒで与えられるとき、ルール群２における左右火格子の補正値は次式（１１）、（１２）で与えられる。
2004264644.tif 000008
このような演算が各操作端の各ルール群について行われ、計算された操作量  ｕｉは操作端が自動運転モードである場合には燃焼モデル演算装置９に入力される。
【００４５】
【実施例】
図４は発熱量が炉の左右（ごみ搬送方向に対して）で異なるごみが投入された場合の運転訓練装置における燃焼室及びガス混合室の温度分布の模擬結果を表した図である。具体的には、開始１０００ｓｅｃ後に左側は２５００→２４００ｋｃａｌ／ｋｇ、右側は２５００→２６００ｋｃａｌ／ｋｇへ投入されるごみの発熱量を変更している。なお、本実施例では、操作端の設定値変更は実施していない。図中、太線が左側、細線が右側の温度分布を表している。
【００４６】
図４に示すように、７２００ｓｅｃ経過後に温度差が、燃焼室で３２℃、ガス混合室で１６℃となっており、炉幅方向の燃焼挙動の変化が正確に表現されていることが確認できた。
【００４７】
【発明の効果】
以上説明したように本発明によれば、ごみの搬送方向及び炉内排ガスの流れ方向に対する燃焼挙動のみならず、炉幅方向に対する燃焼の挙動を正確に表現することにより、炉内の燃焼状態を把握しながら大型の焼却炉における運転操作の訓練を実施できるごみ焼却炉の運転訓練装置が提供される。
【図面の簡単な説明】
【図１】本発明に係るごみ焼却炉の運転訓練装置の一実施形態を示すブロック図である。
【図２】本発明に係る、物質収支と熱収支に基づいて構成された燃焼モデルの構成を示すブロック図である。
【図３】本発明に係る、燃焼室温度差の各ルール（負、ゼロ、正）に対応するメンバーシップ関数の一例を示す図である。
【図４】本発明に係る、発熱量が炉の左右（ごみ搬送方向に対して）で異なるごみが投入された場合の運転訓練装置における燃焼室及びガス混合室の温度分布の模擬結果を表した図である。
【符号の説明】
１  操作盤
２  運転条件の設定手段
３  運転操作切り換え手段
４  手動運転操作手段
５  運転結果表示手段
６  運転結果評価手段
７  訓練速度設定手段
８  自動燃焼制御装置
９  燃焼モデル演算手段
【図１】
2004264644.tif 000009
【図２】
2004264644.tif 000010
【図３】
2004264644.tif 000011
【図４】
2004264644.tif 000012